(57)【要約】【課題】カーペットや絨毯を傷め難く、カーペットや絨毯を構成する繊維に絡まった人毛やペット等の動物の毛を、カーペットや絨毯から取り除くことができ、捕集された人毛やペット等の動物の毛を、簡単に取り出すことができる毛捕集掃除具を提供すること。【解決手段】本発明の毛捕集掃除具１Ａは、中央に開口部２１を有する枠状支持体２と、枠状支持体２の開口部２１の天面側ａに間欠的に張設固定される複数本の天面側弾性糸３ａと、枠状支持体２の開口部２１の底面側ｂに間欠的に張設固定される複数本の底面側糸状体３ｂと、枠状支持体２の開口部２１内に保持され天面側ａと底面側ｂとの間を移動可能な押圧具４とを備えている。【選択図】図１
2011083492.tif 000002
【特許請求の範囲】
【請求項１】
中央に開口部を有する枠状支持体と、該枠状支持体の該開口部の天面側に間欠的に張設固定される複数本の天面側弾性糸と、該枠状支持体の該開口部の底面側に間欠的に張設固定される複数本の底面側糸状体と、該枠状支持体の該開口部内に保持され天面側と底面側との間を移動可能な押圧具とを備える毛捕集掃除具。
【請求項２】
前記押圧具は、基板と押圧把持具とを有し、該基板の底面側には清掃面が設けられ、該基板の天面側には前記押圧把持具が設けられており、
前記基板を、前記天面側弾性糸の弾性力に抗して、前記開口部の天面側から底面側に、前記押圧把持具を介して押圧することにより、前記清掃面を複数本の前記天面側弾性糸及び前記下面側糸状体と共に清掃対象面に接触させた状態を維持しつつ、前記清掃面を前記下面側糸状体を配した方向と交差する方向に移動させて前記清掃対象面上の毛を捕集し、前記押圧を解除することにより、捕集した毛を取り出すことが可能な、請求項１に記載の毛捕集掃除具。
【請求項３】
複数本の前記天面側弾性糸及び前記下面側糸状体それぞれは、同一方向に張設固定されている請求項１又は２に記載の毛捕集掃除具。
【請求項４】
前記天面側弾性糸は、隣り合う前記下面側糸状体同士の間に位置するように張設固定されている請求項３に記載の毛捕集掃除具。
【請求項５】
前記底面側糸状体は弾性糸であり、該底面側糸状体と前記天面側弾性糸とが連続している請求項１〜３の何れかに記載の毛捕集掃除具。
【請求項６】
複数本の前記天面側弾性糸及び前記下面側糸状体それぞれは、交差するように張設固定されている請求項１に記載の毛捕集掃除具。
【請求項７】
前記清掃面はシートで覆われており、該シートは摩擦力の高いエラストマーから形成されている請求項１〜５の何れかに記載の毛捕集掃除具。
【発明の詳細な説明】
【技術分野】
【０００１】
本発明は、人毛やペット等の動物の毛を捕集する毛捕集掃除具に関する。
【背景技術】
【０００２】
従来より、例えば、カーペットや絨毯を構成する繊維に絡まった人毛やペット等の動物の毛を捕集する掃除具が知られている。
例えば、特許文献１には、表面が粘着性の材料からなる複数のロールを平行に並べて回転自在に配設したことを特徴とする清掃具が開示されている。また、特許文献２には、弾性糸を取り付ける取付けフレームが清掃具本体の下面に着脱可能に取付けられた清掃具であって、複数の弾性糸が相互に同方向に延ばされ取付けフレームに張架された清掃具が開示されている。
【先行技術文献】
【特許文献】
【０００３】
【特許文献１】特開２００８−１０４４４０号公報
【特許文献２】特開平９−１４０２８６号公報
【発明の開示】
【発明が解決しようとする課題】
【０００４】
しかし、特許文献１に記載の清掃具においては、粘着性の材料により、人毛やペット等の動物の毛以外に、カーペットや絨毯を構成する繊維を余分に取り除いてしまい、カーペットや絨毯を傷めてしまう場合があった。
【０００５】
また、特許文献２に記載の清掃具においては、複数の弾性糸の捩れにより、カーペットや絨毯を傷めることなく、カーペットや絨毯を構成する繊維に絡まった人毛やペット等の動物の毛を捕集することができるが、弾性糸に絡まった人毛やペット等の動物の毛を取り出し難かった。
【０００６】
したがって、本発明の課題は、カーペットや絨毯を傷め難く、カーペットや絨毯を構成する繊維に絡まった人毛やペット等の動物の毛を、カーペットや絨毯から取り除くことができ、捕集された人毛やペット等の動物の毛を、簡単に取り出すことができる毛捕集掃除具を提供することにある。
【課題を解決するための手段】
【０００７】
本発明は、中央に開口部を有する枠状支持体と、該枠状支持体の該開口部の天面側に間欠的に張設固定される複数本の天面側弾性糸と、該枠状支持体の該開口部の底面側に間欠的に張設固定される複数本の底面側糸状体と、該枠状支持体の該開口部内に保持され天面側と底面側との間を移動可能な押圧具とを備える毛捕集掃除具を提供するものである。
【発明の効果】
【０００８】
本発明の毛捕集掃除具によれば、カーペットや絨毯を傷め難く、カーペットや絨毯を構成する繊維に絡まった人毛やペット等の動物の毛を、容易にカーペットや絨毯から取り除くことができ、捕集された人毛やペット等の動物の毛を、簡単に取り出すことができる。
【図面の簡単な説明】
【０００９】
【図１】図１は、本発明の第1実施形態である毛捕集掃除具の斜視図である。
【図２】図２は、図１のＸ１−Ｘ１線断面図である。
【図３】図３は、図１に示す毛捕集掃除具の使用状態を示す図である。
【図４】図４は、図１に示す毛捕集掃除具の底面図である。
【図５】図５は、本発明の第２実施形態である毛捕集掃除具の底面側から見た斜視図である。
【図６】図６は、本発明の第３実施形態である毛捕集掃除具の底面図である。
【図７】図７は、本発明の第４実施形態である毛捕集掃除具の斜視図である。
【発明を実施するための形態】
【００１０】
以下、本発明の毛捕集掃除具の好ましい第１実施形態について、図１〜図４に基づいて説明する。
【００１１】
第１実施形態の毛捕集掃除具１Ａは、図１〜図２に示すように、中央に開口部２１を有する枠状支持体２と、枠状支持体２の開口部２１の天面側ａに間欠的に張設固定される複数本の天面側弾性糸３ａと、枠状支持体２の開口部２１の底面側ｂに間欠的に張設固定される複数本の底面側糸状体３ｂと、枠状支持体２の開口部２１内に保持され天面側ａと底面側ｂとの間を移動可能な押圧具４とを備えている。
以下、図１に示す毛捕集掃除具１Ａの長さ方向を「Ｘ方向」として、図１に示す毛捕集掃除具１Ａの幅方向を「Ｙ方向」として、図１に示す毛捕集掃除具１Ａの厚み方向を「Ｚ方向」として説明する。
また、第１実施形態の毛捕集掃除具１Ａは、図１に示すように、Ｘ方向に延びる中心線ＣＬに対して左右対称に形成されている。従って以下の説明では、左右対称な部分については、主に、右側について説明する。
【００１２】
枠状支持体２は、図１に示すように、中央に開口部２１を有している。毛捕集掃除具１Ａにおいては、中央に開口部２１を有する枠状支持体２が、図１に示すように、Ｘ方向に延びる一対の長方体状の柱体２ａ，２ａとＹ方向に延びる一対の長方体状の柱体２ｂ，２ｂとから一体的に形成されている。具体的には、枠状支持体２は、図１に示すように、Ｘ方向に延びる柱体２ａ，２ａが、中心線ＣＬに対して対称に配され、柱体２ａ，２ａそれぞれのＸ方向の両端部それぞれの天面側ａに、Ｙ方向に延びる柱体２ｂ，２ｂが配設固定されて一体的に形成されている。このように形成された枠状支持体２は、中心線ＣＬを通る断面形状（Ｘ１−Ｘ１線断面の形状）が逆コの字状となっており（図２参照）、逆コの字状の枠状支持体２の凹部に開口部２１が形成されている。
【００１３】
枠状支持体２は、Ｘ方向、Ｙ方向、Z方向それぞれの長さが、６０ｍｍ〜３００ｍｍ、５０ｍｍ〜１５０ｍｍ、５ｍｍ〜８０ｍｍであることが、捕集性、扱い易さの観点から好ましい。枠状支持体２の天面に形成された開口部２１は、Ｘ方向、Ｙ方向それぞれの長さが、４０ｍｍ〜２８０ｍｍ、４０ｍｍ〜１４０ｍｍであることが、捕集性の観点から好ましい。
【００１４】
毛捕集掃除具１Ａにおいては、枠状支持体２の開口部２１の天面側ａに天面側弾性糸３ａを張設固定するために、図１，図２に示すように、Ｘ方向に延びる柱体２ａ，２ａそれぞれの天面側ａの面であって、且つＹ方向に延びる柱体２ｂ，２ｂの配設された部分以外の領域に、溝２２ａが形成されている。毛捕集掃除具１Ａは、図１，図２に示すように、各柱体２ａの天面側ａの面に、以下に述べる天面側弾性糸３ａの本数に対応した個数の溝２２ａを有している。
【００１５】
毛捕集掃除具１Ａにおいては、溝２２ａは、図１に示すように、中心線ＣＬに垂直に交わる方向に形成されており、その溝２２ａの深さ及び幅は、以下に述べる天面側弾性糸３ａを配した際に、天面側弾性糸３ａが張設固定できればよく、具体的には、深さが、０．５ｍｍ〜５、幅が、０．５ｍｍ〜２ｍｍであることが、張設し易く好ましい。
【００１６】
毛捕集掃除具１Ａにおいては、溝２２ａと同様に、枠状支持体２の開口部２１の底面側ｂに底面側糸状体３ｂを張設固定するために、図１，図２に示すように、Ｘ方向に延びる柱体２ａ，２ａそれぞれの底面側ｂの面に、溝２２ｂが形成されている。毛捕集掃除具１Ａは、図１，図２に示すように、溝２２ａと同様に、各柱体２ａの底面側ｂの面に、以下に述べる底面側糸状体３ｂの本数に対応した個数の溝２２ｂを有している。
【００１７】
毛捕集掃除具１Ａにおいては、溝２２ｂは、図１に示すように、中心線ＣＬに垂直に交わる方向に形成されており、図２に示すように、Ｘ方向において、隣り合う溝２２ａ同士の間に位置するように形成されている。言い換えれば、溝２２ａは、図２に示すように、Ｘ方向において、隣り合う溝２２ｂ同士の間に位置するように形成されている。溝２２ｂの深さ及び幅は、以下に述べる底面側糸状体３ｂを配した際に、底面側糸状体３ｂが張設固定され、特に、各柱体２ａの底面側ｂの面からはみ出さないように形成されていることが好ましく、具体的には、深さが０．５ｍｍ〜２ｍｍ、幅が０．５ｍｍ〜２ｍｍであることが好ましい。
【００１８】
天面側弾性糸３ａは、その捩れにより毛を捕集する部位であり、図１，図２に示すように、枠状支持体２の開口部２１の天面側ａに間欠的に張設固定されている。天面側弾性糸３ａは、Ｘ方向に間欠的に、２本〜３０本配されていることが好ましく、毛捕集掃除具１Ａにおいては、図１，図２に示すように、８本配されている。８本の天面側弾性糸３ａそれぞれは、略等間隔を空けて配されており、天面側弾性糸３ａ同士の間隔（溝２２ａ同士の間隔と同じ）は、３ｍｍ〜３０ｍｍであることが好ましい。天面側弾性糸３ａは、捩られ易い観点から、その断面形状が円状、正多角形状（例えば、正方形状、正三角形等）であることが好ましい。
【００１９】
底面側糸状体３ｂは、天面側弾性糸３ａと同様に、その捩れにより毛を捕集する部位であり、図１，図２に示すように、枠状支持体２の開口部２１の底面側ｂに間欠的に張設固定されている。底面側糸状体３ｂは、Ｘ方向に間欠的に、２本〜３０本配されていることが好ましく、毛捕集掃除具１Ａにおいては、図１，図２に示すように、８本配されている。８本の底面側糸状体３ｂそれぞれは、略等間隔を空けて配されており、底面側糸状体３ｂ同士の間隔（溝２２ｂ同士の間隔と同じ）は、３ｍｍ〜３０ｍｍであることが好ましい。底面側糸状体３ｂは、天面側弾性糸３ａと同様に、捩られ易い観点から、その断面形状が円状、正多角形状（例えば、正方形状、正三角形等）であることが好ましい。
【００２０】
枠状支持体２の開口部２１の天面側ａに張設固定された天面側弾性糸３ａと、枠状支持体２の開口部２１の底面側ｂに張設固定された底面側糸状体３ｂとの間隔は、後述するように、毛を取り出す際に、指が入る程度の間隔が空いていることが好ましく、具体的には、５ｍｍ〜５０ｍｍであることが好ましい。
【００２１】
毛捕集掃除具１Ａにおいては、８本の天面側弾性糸３ａ及び８本の底面側糸状体３ｂそれぞれは、同一方向に張設固定されている。また、毛捕集掃除具１Ａにおいては、天面側弾性糸３ａは、隣り合う底面側糸状体３ｂ，３ｂの間に位置するように張設固定されている。具体的には、毛捕集掃除具１Ａの各天面側弾性糸３ａは、Ｘ方向に隣り合う溝２２ｂ同士の間に位置する各溝２２ａに張設固定され、図１に示すように、Ｘ方向に延びる一対の柱体２ａ，２ａ同士に亘って中心線ＣＬに垂直に交わる方向に配されており、各底面側糸状体３ｂは、各溝２２ｂに張設固定され、天面側弾性糸３ａと同様に、Ｘ方向に延びる一対の柱体２ａ，２ａ同士に亘って中心線ＣＬに垂直に交わる方向に（天面側弾性糸３ａと同一方向に）配されている。
【００２２】
各天面側弾性糸３ａは、毛の捕集の際に、捩れを生じ易い観点から、その伸長率が１２０〜３３０％、特に１５０〜２３０％となるように張設されていることが好ましい。
毛捕集掃除具１Ａにおいては、各底面側糸状体３ｂは、天面側弾性糸３ａと同様に、弾性糸である。各底面側糸状体３ｂは、毛の捕集の際に、捩れを生じ易い観点から、その伸長率が１２０〜３３０％、特に１５０〜２３０％となるように張設されていることが好ましい。尚、各底面側糸状体３ｂが弾性糸でない場合には、各底面側糸状体３ｂは、捩れを生じさせ易い観点から、一対の柱体２ａ，２ａ同士に亘って弛めた状態で配されていることが好ましい。
【００２３】
毛捕集掃除具１Ａにおいては、各天面側弾性糸３ａ及び各底面側糸状体３ｂは、それぞれ弾性糸であり、底面側糸状体３ｂと天面側弾性糸３ａとが連続している。具体的には、図１〜図３に示すように、底面側糸状体３ｂと天面側弾性糸３ａとが輪ゴム状の弾性糸から形成されており、８個の輪ゴム状の弾性糸それぞれが、Ｘ方向に延びる一対の柱体２ａ，２ａそれぞれの天面側ａの溝２２ａと底面側ｂの溝２２ｂとを通るように、一対の柱体２ａ，２ａ同士の間に架けられて張設されている。
【００２４】
押圧具４は、枠状支持体２の開口部２１内に保持されており、天面側ａと底面側ｂとの間を移動可能に形成されている。押圧具４は、図１，図２に示すように、基板４１と押圧把持具とを有し、基板４１の底面側ｂには清掃面４１ｂが設けられ、基板４１の天面側ａには押圧把持具４２が設けられている。基板４１の底面側ｂの清掃面４１ｂは、毛を捕集する際に、清掃対象面に接触する部位であり、押圧把持具４２は、毛捕集掃除具１Ａにおいては、毛を捕集する際に、手でホールドする部位である。尚、清掃対象面とは、カーペットや絨毯や床面等をいう。
【００２５】
基板４１は、図１，図２に示すように、平板状の板であり、Ｘ方向の長さが、後述するように、押圧具４が枠状支持体２の開口部２１内に保持される観点から、Ｙ方向に延びる一対の柱体２ｂ，２ｂ同士の間隔よりも長く、４２ｍｍ〜３００ｍｍであることが好ましい。また、Ｙ方向の長さが、後述するように、押圧具４が天面側ａと底面側ｂとの間を移動できる観点から、Ｘ方向に延びる一対の柱体２ａ，２ａ同士の間隔よりも短く、３８ｍｍ〜１３８ｍｍであることが好ましい。押圧具４の厚み（Ｚ方向の長さ）は、１ｍｍ〜２０ｍｍであることが好ましい。
【００２６】
毛捕集掃除具１Ａにおいては、基板４１の清掃面４１ｂは、図２，図３に示すように、シート４３で覆われている。毛捕集掃除具１Ａのシート４３は、摩擦力の高いエラストマーから形成されている。シート４３は、図２，図３に示すように、基板４１の底面側ｂの面である清掃面４１ｂの全域に亘って配設され、接着剤等により清掃面４１ｂに固定されている。
【００２７】
押圧把持具４２は、図１，図２に示すように、平板状の基板４１の天面側ａの中央部に配されており、Ｘ方向の長さが、後述するように、押圧具４が天面側ａと底面側ｂとの間を移動できる観点から、Ｙ方向に延びる一対の柱体２ｂ，２ｂ同士の間隔よりも短く、２０ｍｍ〜２８０ｍｍであることが好ましい。また、押圧把持具４２のＹ方向の長さが、手で違和感なくホールドできる観点から、５ｍｍ〜７０ｍｍであることが好ましい。また、押圧把持具４２のＺ方向の長さが、後述するように、手で違和感なくホールドしながら、押圧具４が天面側ａと底面側ｂとの間を移動する観点から、枠状支持体２のＺ方向の長さよりも長く、２０ｍｍ〜１２０ｍｍであることが好ましい。尚、毛捕集掃除具１Ａにおいては、押圧具４を底面側ｂに押圧した際に押圧具４が枠状支持体２から外れないように、押圧具４の押圧把持具４２の天面側ａにおけるＸ方向両端部それぞれには、Ｘ方向外方に凸のストッパー４２ａ，４２ａが形成されている。このように形成された毛捕集掃除具１Ａの押圧具４は、中心線ＣＬを通る断面形状（Ｘ１−Ｘ１線断面の形状）がエの字状となっており（図２参照）、押圧具４の中心を通り且つ中心線ＣＬに垂直な線を通る断面形状が逆Ｔの字状に形成されている。
【００２８】
枠状支持体２の開口部２１内に押圧具４が保持されているとは、具体的には、図１，図２に示すように、枠状支持体２の開口部２１の天面側ａに間欠的に複数本の天面側弾性糸３ａを張設し、天面側弾性糸３ａとＹ方向に延びる一対の柱体２ｂ，２ｂとの間に、押圧具４の基板４１を配すると、天面側弾性糸３ａの弾性復元力により、押圧具４の基板４１の天面側ａの面とＹ方向に延びる一対の柱体２ｂ，２ｂそれぞれの底面側ｂの面とが接した状態で、枠状支持体２と天面側弾性糸３ａとの間に押圧具４が保持されている状態を意味する。また、押圧具４が枠状支持体２の開口部２１内に保持され天面側ａと底面側ｂとの間を移動可能とは、押圧把持具４２をホールドして毛捕集掃除具１Ａの底面側ｂに押圧すると、押圧具４が毛捕集掃除具１Ａの底面側ｂに移動し、押圧を解除すると、更に伸長した天面側弾性糸３ａの弾性復元力により、押圧具４が毛捕集掃除具１Ａの天面側ａに移動し、押圧具４の基板４１の天面側ａの面とＹ方向に延びる一対の柱体２ｂ，２ｂそれぞれの底面側ｂの面とが接した状態に戻ることを意味する。
【００２９】
第１実施形態の毛捕集掃除具１Ａの形成材料について説明する。
枠状支持体２（柱体２ａ及び柱体２ｂ）並びに押圧具４（基板４１及び押圧把持具４２）としては、通常、掃除具に用いられるものであれば、特に制限なく用いることができる。例えば、枠状支持体２（柱体２ａ及び柱体２ｂ）並びに押圧具４（基板４１及び押圧把持具４２）としては、木製、金属、高強度圧縮パルプ繊維、パルプ板紙又は合成樹脂等からなる部材が用いられる。金属製のものとしては、具体的には、ステンレス製、アルミニウム合金製、真鍮製のものが挙げられ、合成樹脂製のものとしては、ポリエチレンテレフタレート、ポリブチレンテレフタレート及びポリトリメチレンテレフタレート等のポリエステル製、ナイロン即ちポリアミド製のものが挙げられる。
【００３０】
天面側弾性糸３ａとしては、例えば、毛を捕集し易い観点から、天然ゴム、ポリウレタン等のエラストマーからなるタック性のある材料等を好ましく用いることができる。尚、毛捕集掃除具１Ａにおいては、底面側糸状体３ｂも弾性糸であるため、天面側弾性糸３ａと底面側糸状体３ｂとが連続する天然ゴム製の輪ゴムから構成されていることが、コストの観点からも好ましい。但し、底面側糸状体３ｂは、弾性糸に限られることなく、例えば、木綿製の糸、ナイロン糸、硬質紙糸、金属細棒、ガラス棒、樹脂製細棒等の材料を用いることができる。
【００３１】
基板４１の清掃面４１ｂを覆うシート４３としては、清掃面４１ｂを複数本の天面側弾性糸３ａ及び下面側糸状体３ｂと共に清掃対象面に接触させた状態でスライド移動させた際に、天面側弾性糸３ａ及び下面側糸状体３ｂに捩れを生じさせ易い観点から、摩擦力の高いエラストマーから形成されていることが好ましく、例えば、ポリウレタン等のエラストマーからなる、不織布、ネット状シート、フィルム等が挙げられる。
【００３２】
上述した本発明の第１実施形態の毛捕集掃除具１Ａを使用した際の作用効果について説明する。
本発明の毛捕集掃除具は、基板４１を、天面側弾性糸３ａの弾性力に抗して、開口部２１の天面側ａから底面側ｂに、押圧把持具４２を介して押圧することにより、清掃面４１ｂを複数本の天面側弾性糸３ａ及び下面側糸状体３ｂと共に清掃対象面に接触させた状態を維持しつつ、清掃面４１ｂを下面側糸状体３ｂを配した方向と交差する方向に移動させて清掃対象面上の毛を捕集し、押圧を解除することにより、捕集した毛を取り出す掃除具である。以下、具体的に説明すると、第１実施形態の毛捕集掃除具１Ａは、図１，図２に示すように、基板４１を押圧する前においては、枠状支持体２の開口部２１の天面側ａに張設された天面側弾性糸３ａとＹ方向に延びる一対の柱体２ｂ，２ｂとの間に、押圧具４の基板４１が配されており、天面側弾性糸３ａの弾性復元力により、押圧具４の基板４１の天面側ａの面と柱体２ｂ，２ｂそれぞれの底面側ｂの面とが接した状態で、押圧具４が保持されている。次に、押圧具４の押圧把持具４２をホールドし、前述のように保持された押圧具４の基板４１を、張設された天面側弾性糸３ａの弾性力に抗して、開口部２１の天面側ａから底面側ｂに押圧することにより、図３に示すように、基板４１の清掃面４１ｂを天面側弾性糸３ａ及び下面側糸状体３ｂと共に、カーペットや絨毯や床面等の清掃対象面に接触させる。清掃面４１ｂを清掃対象面に接触させた状態を維持しつつ、基板４１の清掃面４１ｂを、図４に示すように、下面側糸状体３ｂを配した方向（Ｙ方向）と直交する方向（Ｘ方向）にスライド移動させることにより、基板４１の清掃面４１ｂと清掃対象面との間にある、天面側弾性糸３ａ及び下面側糸状体３ｂに捩れを生じさせ、清掃対象面上の毛を、捩れた天面側弾性糸３ａ及び下面側糸状体３ｂで捕集する。特に、清掃対象面が、カーペットや絨毯等である場合には、カーペットや絨毯を構成する繊維に絡まった人毛やペット等の動物の毛を、天面側弾性糸３ａ及び下面側糸状体３ｂの捩れにより、容易にカーペットや絨毯から取り除くことができる。その際、カーペットや絨毯を構成する繊維は、人毛やペット等の動物の毛に比べ、非常に細いので、天面側弾性糸３ａ及び下面側糸状体３ｂの捩れにより巻き取られ難く、カーペットや絨毯を傷め難い。
【００３３】
捕集した毛は、基板４１の押圧を解除することにより、伸長した天面側弾性糸３ａの弾性復元力が作用し、押圧具４が毛捕集掃除具１Ａの天面側ａに移動するので、天面側弾性糸３ａと下面側糸状体３ｂとの間に指を入れて天面側弾性糸３ａ及び下面側糸状体３ｂで捕集した人毛やペット等の動物の毛を、簡単に取り出すことができる。
【００３４】
第１実施形態の毛捕集掃除具１Ａにおいて、図４に示すように、複数本の天面側弾性糸３ａ及び複数本の底面側糸状体３ｂそれぞれが、同一方向に張設固定されている。その為、基板４１の清掃面４１ｂを清掃対象面に接触させた状態でスライドさせ、天面側弾性糸３ａ及び下面側糸状体３ｂに捩れを生じさせる際に、天面側弾性糸３ａと下面側糸状体３ｂとが絡み合い難く、操作性が向上する。特に、第１実施形態の毛捕集掃除具１Ａは、図４に示すように、天面側弾性糸３ａが、隣り合う底面側糸状体３ｂ，３ｂの間に位置するように張設固定されているので、天面側弾性糸３ａと下面側糸状体３ｂとが更に絡み合い難く、更に操作性が向上する。
【００３５】
第１実施形態の毛捕集掃除具１Ａは、図１〜図３に示すように、各天面側弾性糸３ａ及び各底面側糸状体３ｂが、それぞれ弾性糸であり、底面側糸状体３ｂと天面側弾性糸３ａとが連続した輪ゴム状の弾性糸から形成されている。その為、天面側弾性糸３ａ及び底面側糸状体３ｂを、Ｘ方向に延びる一対の柱体２ａ，２ａそれぞれの天面側ａの溝２２ａと底面側ｂの溝２２ｂとを通るように架け易く、操作性が向上する。
【００３６】
第１実施形態の毛捕集掃除具１Ａは、図２〜図４に示すように、基板４１の清掃面４１ｂがシート４３により覆われている。その為、基板４１の清掃面４１ｂを清掃対象面に接触させた状態でスライド移動させる際に、天面側弾性糸３ａ及び下面側糸状体３ｂに捩れを生じさせ易く、操作性が向上する。
【００３７】
次に、本発明の第２実施形態の毛捕集掃除具について、図５に基づいて説明する。
第２実施形態の毛捕集掃除具１Ｂについては、第１実施形態の毛捕集掃除具１Ａと異なる点について説明する。特に説明しない点は、第１実施形態の毛捕集掃除具１Ａと同様であり、第１実施形態の毛捕集掃除具１Ａの説明が適宜適用される。
【００３８】
第２実施形態の毛捕集掃除具１Ｂは、図５に示すように、第１実施形態の毛捕集掃除具１Ａの溝２２ａ及び溝２２ｂを設けずに、複数個のフック５１を有するフック基板５を柱体２ａにネジ等により取り付けた点が大きく異なる。以下、具体的に説明する。
【００３９】
毛捕集掃除具１Ｂは、図５に示すように、天面側弾性糸３ａ及び底面側糸状体３ｂを張設固定するために、Ｘ方向に延びる柱体２ａ，２ａそれぞれの外方側（中心線ＣＬと反対側）の面に、Ｘ方向に延びる平板状のフック基板５が設けられており、各フック基板５の天面側ａ及び底面側ｂにはそれぞれ、Ｘ方向に間欠的に複数個の天面側フック５１ａと複数個の底面側フック５１ｂが設けられている。天面側フック５１ａは、天面側弾性糸３ａを引っ掛ける部位であり、底面側フック５１ｂは、底面側糸状体３ｂを引っ掛ける部位である。
【００４０】
毛捕集掃除具１Ｂの天面側弾性糸３ａは、第１実施形態の毛捕集掃除具１Ａと同様に、Ｘ方向に間欠的に８本配されている。毛捕集掃除具１Ｂの天面側弾性糸３ａは、輪ゴム状の弾性糸から形成されており、４個の輪ゴム状の弾性糸それぞれが、Ｘ方向に延びる一対の柱体２ａ，２ａの中の一方の柱体２ａに設けられた天面側フック５１ａと他方の柱体２ａに設けられた天面側フック５１ａとの間に架けられて張設されている。毛捕集掃除具１Ｂは、各柱体２ａに輪ゴム状の天面側弾性糸３ａの本数に対応した個数の天面側フック５１ａを有している。
【００４１】
毛捕集掃除具１Ｂの底面側糸状体３ｂは、天面側弾性糸３ａと同様に、Ｘ方向に間欠的に８本配されている。毛捕集掃除具１Ｂの底面側糸状体３ｂは、輪状の糸状体から形成されており、４個の輪状の糸状体それぞれが、Ｘ方向に延びる一対の柱体２ａ，２ａの中の一方の柱体２ａに設けられた底面側フック５１ｂと他方の柱体２ａに設けられた底面側フック５１ｂとの間に架けられて張設されている。毛捕集掃除具１Ｂは、各柱体２ａに輪状の底面側糸状体３ｂの本数に対応した個数の底面側フック５１ｂを有している。
【００４２】
天面側弾性糸３ａ同士の間隔は、天面側フック５１ａ自体の幅（Ｘ方向の長さ）や、Ｘ方向に隣り合う天面側フック５１ａ同士の間隔により、調整することができる。底面側糸状体３ｂ同士の間隔も同様に調整することができる。
【００４３】
毛捕集掃除具１Ｂにおいては、図５に示すように、第１実施形態の毛捕集掃除具１Ａと同様に、天面側弾性糸３ａとＹ方向に延びる一対の柱体２ｂ，２ｂとの間に、押圧具４の基板４１を配すると、天面側弾性糸３ａの弾性復元力により、押圧具４の基板４１の天面側ａの面とＹ方向に延びる一対の柱体２ｂ，２ｂそれぞれの底面側ｂの面とが接した状態で、枠状支持体２と天面側弾性糸３ａとの間に押圧具４が保持される。
【００４４】
第２実施形態の毛捕集掃除具１Ｂの形成材料について説明する。
第２実施形態の毛捕集掃除具１Ｂについては、第１実施形態の毛捕集掃除具１Ａと異なる点について説明する。特に説明しない点は、第１実施形態の毛捕集掃除具１Ａと同様である。
【００４５】
複数個のフック５１を有するフック基板５としては、枠状支持体２及び押圧具４と同様に、木製、金属又は合成樹脂等からなる部材が用いられる。
【００４６】
上述した本発明の第２実施形態の毛捕集掃除具１Ｂを使用した際の作用効果について説明する。
第２実施形態の毛捕集掃除具１Ｂは、第１実施形態の毛捕集掃除具１Ａと同様の効果が得られる。以下、第１実施形態の毛捕集掃除具１Ａと異なる効果について説明する。
【００４７】
第２実施形態の毛捕集掃除具１Ｂは、図５に示すように、天面側弾性糸３ａ及び底面側糸状体３ｂを張設固定するために、複数個の天面側フック５１ａと複数個の底面側フック５１ｂとを有するフック基板５を備えている。従って、互いに材質の異なる天面側弾性糸３ａ及び底面側糸状体３ｂを、容易に組み合わせて用いることができる。また、４個の輪ゴム状の天面側弾性糸３ａは、それぞれの材質が異なる輪ゴム状の弾性糸を、容易に組み合わせて用いることもできる。４個の輪状の底面側糸状体３ｂについても同様である。
【００４８】
第２実施形態の毛捕集掃除具１Ｂは、天面側弾性糸３ａと底面側糸状体３ｂが別々になっていることにより、天面側弾性糸３ａ若しくは底面側糸状体３ｂが劣化して交換が必要な時、どちらか一方だけを交換するだけで済むことも可能で経済的である。
【００４９】
次に、本発明の第３実施形態の毛捕集掃除具について、図６に基づいて説明する。
第３実施形態の毛捕集掃除具１Ｃについては、第１実施形態の毛捕集掃除具１Ａ又は第２実施形態の毛捕集掃除具１Ｂと異なる点について説明する。特に説明しない点は、毛捕集掃除具１Ａ，１Ｂと同様であり、毛捕集掃除具１Ａ，１Ｂの説明が適宜適用される。
【００５０】
第３実施形態の毛捕集掃除具１Ｃは、図６に示すように、天面側弾性糸３ａ及び底面側糸状体３ｂそれぞれが、同一方向に張設固定されていない点が、毛捕集掃除具１Ａと異なる。以下、具体的に説明する。
【００５１】
毛捕集掃除具１Ｃの底面側糸状体３ｂは、図６に示すように、Ｘ方向に間欠的に７本配されている。毛捕集掃除具１Ｃにおいては、Ｘ方向に延びる柱体２ａ，２ａそれぞれの底面側ｂの面に溝２２ｂが形成されている。毛捕集掃除具１Ｃの各底面側糸状体３ｂは、張った状態で、その両端部それぞれを柱体２ａ，２ａそれぞれの溝２２ａに配し、それらの端部を接着剤により固定して、張設されている。毛捕集掃除具１Ｃの天面側弾性糸３ａについても同様に、伸長した状態で、その両端部それぞれを柱体２ａ，２ａそれぞれの溝２２ａに配し、それらの端部を接着剤等により固定して、張設されている。
【００５２】
７本の天面側弾性糸３ａ及び７本の下面側糸状体３ｂそれぞれは、図６に示すように、交差するように張設固定されている。天面側弾性糸３ａと下面側糸状体３ｂとが交差するように、毛捕集掃除具１Ｃの各底面側糸状体３ｂは、図６に示すように、中心線ＣＬと交差する角度（α）が３０°〜９０°であることが好ましく、各天面側弾性糸３ａは、中心線ＣＬと交差する角度（β）が９０°〜１５０°であることが好ましい。
【００５３】
上述した本発明の第３実施形態の毛捕集掃除具１Ｃを使用した際の作用効果について説明する。
第３実施形態の毛捕集掃除具１Ｃは、第１実施形態の毛捕集掃除具１Ａと同様の効果が得られる。以下、第１実施形態の毛捕集掃除具１Ａと異なる効果について説明する。
【００５４】
第３実施形態の毛捕集掃除具１Ｃは、図６に示すように、天面側弾性糸３ａと下面側糸状体３ｂとが交差するように張設固定されている。その為、天面側弾性糸３ａ及び下面側糸状体３ｂが交差する付近において特に捕集性が上がることから、局所的に大量に存在する毛を短時間に効率よく捕集することができる。
【００５５】
次に、本発明の第４実施形態の毛捕集掃除具について、図７に基づいて説明する。
第４実施形態の毛捕集掃除具１Ｄについては、第１実施形態の毛捕集掃除具１Ａと異なる点について説明する。特に説明しない点は、毛捕集掃除具１Ａと同様であり、毛捕集掃除具１Ａの説明が適宜適用される。
【００５６】
第４実施形態の毛捕集掃除具１Ｄは、図７に示すように、押圧具４の、押圧把持具４２が変更されている点が、毛捕集掃除具１Ａと異なる。以下、具体的に説明する。
【００５７】
毛捕集掃除具１Ｄの押圧具４は、図７に示すように、基板４１の天面側ａの中央部に、各種公知のユニバーサルジョイント６を有しており、基板４１にはユニバーサルジョイント６を介して柄７が連結されている。合成樹脂製のパイプ部材等からなる柄７は、基板４１に対して、３６０°の何れの方向に対しても回動できるように形成されている。
【００５８】
上述した本発明の第４実施形態の毛捕集掃除具１Ｄを使用した際の作用効果について説明する。
第４実施形態の毛捕集掃除具１Ｄは、第１実施形態の毛捕集掃除具１Ａと同様の効果が得られる。以下、第１実施形態の毛捕集掃除具１Ａと異なる効果について説明する。
【００５９】
第４実施形態の毛捕集掃除具１Ｄは、図７に示すように、基板４１の天面側ａに柄７が連結されており、押圧具４の柄７を介して、枠状支持体２と天面側弾性糸３ａとの間に保持された押圧具４の基板４１を、張設された天面側弾性糸３ａの弾性力に抗して、開口部２１の天面側ａから底面側ｂに押圧することにより、基板４１の清掃面４１ｂを天面側弾性糸３ａ及び下面側糸状体３ｂと共に、清掃対象面に接触させることができる。その為、手の届き難い高い場所や隙間等の清掃対象面を掃除することができると共に、床面に跪くことなく立ったまま掃除をすることができる。
【００６０】
第４実施形態の毛捕集掃除具１Ｄは、柄７の長さを色々と変えることで、子供から大人までちょうど良い高さで立ったまま掃除をすることができる。
【００６１】
本発明の毛捕集掃除具は、上述の第１，第２，第３，第４実施形態の毛捕集掃除具１Ａ，１Ｂ，１Ｃ，１Ｄに何ら制限されるものではなく、適宜変更可能である。また、上述の第１，第２，第３，第４実施形態の毛捕集掃除具１Ａ，１Ｂ，１Ｃ，１Ｄにおける各構成要件は、本発明の趣旨を損なわない範囲で、適宜組み合わせて実施できる。
【００６２】
例えば、上述の第１，第２，第３，第４実施形態の毛捕集掃除具１Ａ，１Ｂ，１Ｃ，１Ｄにおいては、図１，図５，図６，図７に示すように、枠状支持体２が、Ｘ方向に延びる一対の長方体状の柱体２ａ，２ａとＹ方向に延びる一対の長方体状の柱体２ｂ，２ｂとから一体的に形成されているが、これに限らず、枠状支持体２が中央に開口部２１を有するように形成されていればよい。
【００６３】
また、上述の第１，第２，第３，第４実施形態の毛捕集掃除具１Ａ，１Ｂ，１Ｃ，１Ｄにおいては、図２に示すように、基板４１の清掃面４１ｂがシート４３で覆われているが、シート４３で覆われていなくてもよい。
【００６４】
また、上述の第１，第２，第３，第４実施形態の毛捕集掃除具１Ａ，１Ｂ，１Ｃ，１ＤのＸ方向に延びる一対の長方体状の柱体２ａ，２ａそれぞれの底面側ｂの面に、摩擦係数の低いフィルム材を貼り付けたり、また摩擦係数の低くなるような剤を塗工したり、球面状突起物を取り付けたり等の滑り易いような加工を施していてもよい。
【符号の説明】
【００６５】
１Ａ，１Ｂ，１Ｃ，１Ｄ  毛捕集掃除具
ａ  天面側、  ｂ  底面側
２  枠状支持体
２ａ  Ｘ方向に延びる長方体状の柱体
２ｂ  Ｙ方向に延びる長方体状の柱体
２１  開口部
２２ａ  天面側の溝
２２ｂ  底面側の溝
３
３ａ  天面側弾性糸
３ｂ  底面側糸状体
４  押圧具
４１  基板
４１ｂ  清掃面
４２  押圧把持具
４２ａ  ストッパー
４３  シート
５  フック基板
５１ａ  天面側フック
５１ｂ  底面側フック
６  ユニバーサルジョイント
７  柄
【図１】
2011083492.tif 000003
【図２】
2011083492.tif 000004
【図３】
2011083492.tif 000005
【図４】
2011083492.tif 000006
【図５】
2011083492.tif 000007
【図６】
2011083492.tif 000008
【図７】
2011083492.tif 000009